(57)【要約】【課題】スピンドルを一緒に取替えずに弁体を取替える事ができ、かつ、吊りこま式から一般こま式に簡単に切り替えることができる吊りこま式の水栓を提供する。【解決手段】開閉弁操作用のスピンドルに弁軸取付孔を開設し、該弁軸取付孔に弁体の弁軸を挿  入し、更にスピンドルに上記弁体を吊り下げ状に保持する連接部材を設けた吊りこま式弁を備  えた水栓において、スピンドルの下端外方に凸部を設けると共に、弁体に連接する連接部材に前記凸部と嵌合する凹部を設けた。【選択図】  図１
2004251349.tif 000002
【特許請求の範囲】
【請求項１】
開閉弁操作用のスピンドルに弁軸取付孔を開設し、該弁軸取付孔に弁体の弁軸を挿入し、更にスピンドルに上記弁体を吊り下げ状に保持する連接部材を設けた吊りこま式弁を備えた水栓において、スピンドルの下端外方に凸部を設けると共に、弁体に連接する連接部材に前記凸部と嵌合する凹部を設けたことを特徴とする水栓。
【請求項２】
前記弁体と連接部材を一体に構成したことを特徴とする請求項１記載の水栓。
【請求項３】
前記連接部材には摺り割り溝部を構成したことを特徴とする請求項１または請求項２に記載の水栓。
【発明の詳細な説明】
【０００１】
【発明の属する技術分野】
本発明は、開閉操作用のスピンドルに弁体を保持する吊りこま式の寒冷地用の水栓に関する。
【０００２】
【従来の技術】
従来の吊りこま式の水栓として図６に示すものが知られている（例えば、特許文献１参照。）。
【０００３】
この水栓においては、弁体２１をエンジニアリングプラスチックで形成し、弁軸２８中途部に突出する凸部２２を設けると共に、弁軸２８上端の先端部からこの凸部２２より下方の位置までに延びる摺り割り溝部２３を設けている。スピンドル２５の弁軸取付孔２６には弁体２１の凸部２２と係合する凹溝部２７を設け、弁体２１をスピンドル２５に吊りこま状態に保持している。
一般的に吊りこま式水栓は、凍結防止のために、吊りこま式弁体２１を開放して水栓給水配管内に圧縮エアを供給し、水栓給水配管内の水抜きを行うことができるもので、寒冷地で使用される水栓のことである。
【０００４】
【特許文献１】
特開２０００−３３７５２８号公報
【発明が解決しようとする課題】
【０００５】
しかしながら、この水栓においては、弁軸取付孔２６に設けられた凹溝部２７に弁軸２８中途部に突出する凸部２２が入り込み、吊りこま状態として保持しているため、弁体２１が止水不良を起こした場合、弁体２１をスピンドル２５から簡単に取外すことができない。従って、弁体２１が抜けないため、弁体２１の取替えはスピンドル２５を一緒に取替える無駄が生じる。
また、この吊りこま式水栓から一般のこま式水栓に取替える場合も、スピンドルと共に弁体を取替える必要があるため、無駄が生じることになる。
【０００６】
本発明はかかる事情を鑑みてなされたもので、スピンドルを一緒に取替えずに弁体を取替え  る事ができ、かつ、吊りこま式から一般こま式に簡単に切り替えることができる吊りこま式の水栓を提供することを目的としている。
【０００７】
【課題を解決するための手段】
上記課題を解決するため、本発明の請求項１の水栓は、開閉弁操作用のスピンドルに弁軸取付孔を開設し、該弁軸取付孔に弁体の弁軸を挿入し、更にスピンドルに上記弁体を吊り下げ状に保持する連接部材を設けた吊りこま式弁を備えた水栓において、スピンドルの下端外方に凸部を設けると共に、弁体に連接する連接部材に前記凸部と嵌合する凹部を設けたことを特徴とする。
このようにすることで、スピンドルの凸部が弁体とスピンドルを繋ぐ連接部材の凹溝部に係合し、スピンドルと弁体を簡単に着脱出来ることにより、スピンドルを一緒に取替えずに弁体のみの交換が可能となる。
また、連接部材による係合を行わず、単に弁体の弁軸をスピンドルの弁軸取付孔に挿入するのみの構成にすれば、一般のこま式の水栓として機能することになる。
【０００８】
さらに、請求項２の水栓は、前記弁体と連接部材を一体に構成したことを特徴とする。
これにより、成形部品点数が減るため、製造コストを安価にすることが可能となる。
【０００９】
さらに、請求項３の水栓は、前記連接部材には摺り割り溝部を構成したことを特徴とする。
摺り割り溝部を設けたことによって弾性が生じて、スピンドルの凸部が弁体とスピンドルを繋ぐ連接部材の凹溝部に係合しやすくなるため、作業性が向上する。
【００１０】
【発明の実施の形態】
以下に図面を参照して本発明をより具体的に説明する。
【００１１】
図１乃至図５を参照しながら本発明の実施例についてを説明すると、図中Ａは水栓で、その本体１の流路２途中に弁座３が設けられると共に、この弁座３に対向してスピンドル取付部４が設けられている。そしてスピンドル５がスピンドル取付部４内周面に螺合し、一端は本体１外部に突出してハンドル６が取付けられると共に、他端には凸部７が設けられ弁軸取付孔８が開設されており、弁軸取付孔８には弁体９の弁軸１０が挿入される。
【００１２】
弁体９には、スピンドル５と弁体９を繋ぐ連接部材１１が装着され、連接部材１１はスピンドル５に設けられた凸部７と係合しておりハンドル６の回転に伴うスピンドル５の進退により弁体９に取付けたシートパッキン１２が弁座３に接離して、開閉弁Ｂが開閉する。
【００１３】
スピンドル５と弁体９を継ぐ連接部材１１は、図２に示すようにスピンドル５の一端に設けられた凸部７と係合する凹溝部１３を有し、スピンドル５の凸部７と係合し弁体９を吊りこま状態に保持する。
【００１４】
図３に示すように、連接部材１１は、凹溝部１３と、内側に突起した山形形状の突起１４と、スピンドル５の凸部７外径より大きく形成された端面の入口１５を有している。図４でも示すように、連接部材１１には、端面の入口１５より突起１４の下方の位置まで、摺り割り溝１６が設けられている。
【００１５】
スピンドル５は、一端中途部に連接部材１１の内側に突起した山形形状の突起１４より大径で  凹溝部１３より小径な凸部７を設け、連接部材１１の凹溝部１３と係合し弁体９を吊りこま状態に保持する。
【００１６】
而してスピンドル５の凸部７を連接部材１１の凹溝部１３に挿入する際、スピンドル５の凸部７外径が連接部材１１の山形形状の突起１４内径より大きいにも拘わらず、連接部材１１の端面に摺り割溝１６が設けられていることにより、突起１４の内径が押し拡げられスピンドル５の凸部７がスムーズに挿入することが出来、凸部７が突起１４の頂点を過ぎると内径は除々に元に戻り、これに伴って凸部７が凹溝部１３に回転自在に係合する。
【００１７】
もし連接部材１１の端面の入口１５に摺り割り溝１６がなければ、スピンドル５を連接部材１１に挿入するに際して、凸部７外径が山形形状の突起１４内径より大きいため、挿入は困難である。
【００１８】
凸部７が凹溝部１３に係合してしまえば、スピンドル５の抜ける方向には凸部７が突起１４に引っかかるため抜けにくく、このような状態で弁体９はスピンドル５に吊りこま状態に保持される。
【００１９】
そして、止水時には弁体９のシートパッキン１２が弁座３に当たるとそれ以降はシートパッキ  ン１２と弁座３との摩擦力でスピンドル５が連接部材１１に対し回転し、シートパッキン１２の摩耗損傷することを防止できる。勿論、凍結によってシートパッキン１２が弁座３に固着しても、スピンドル５を回転すればシートパッキン１２は回転することなく上方向に引き離されるため、シートパッキン１２の摩耗損傷することを防止できる。
【００２０】
本発明は上述の実施例に限定されること無く種々の変形が可能であり、連接部材１１を弁体９に一体に形成してもよい。
【００２１】
装着する連接部材１１はエンジニアリングプラスチックで形成される他、弾性のある材料を使用しても良い。
【００２２】
また、連接部材１１の山形形状の突起１４も変形が可能で、断面三角形状、台形形状にしても良く、図５の如く、摺り割り溝１６も数を変えても良い。
【００２３】
【発明の効果】
本発明の請求項１の水栓は、開閉弁操作用のスピンドルに弁軸取付孔を開設し、該弁軸取付孔に弁体の弁軸を挿入し、更にスピンドルに上記弁体を吊り下げ状に保持する連接部材を設けた吊りこま式弁を備えた水栓において、スピンドルの下端外方に凸部を設けると共に、弁体に連接する連接部材に前記凸部と嵌合する凹部を設けたことを特徴とする。
このようにすることで、スピンドルの凸部が弁体とスピンドルを繋ぐ連接部材の凹溝部に係合し、スピンドルと弁体を簡単に着脱出来ることにより、スピンドルを一緒に取替えずに弁体のみの交換が可能となる。
また、連接部材による係合を行わず、単に弁体の弁軸をスピンドルの弁軸取付孔に挿入するのみの構成にすれば、一般のこま式の水栓として機能することになる。
さらに、請求項２の水栓は、前記弁体と連接部材を一体に構成したことを特徴とする。
これにより、成形部品点数が減るため、製造コストを安価にすることが可能となる。
さらに、請求項３の水栓は、前記連接部材には摺り割り溝部を構成したことを特徴とする。
摺り割り溝部を設けたことによって弾性が生じて、スピンドルの凸部が弁体とスピンドルを繋ぐ連接部材の凹溝部に係合しやすくなるため、作業性が向上する。
【図面の簡単な説明】
【図１】本発明の一実施の形態である断面図である。
【図２】本発明の一実施の形態であるスピンドルと弁体を連接部材で係合した状態の断面図である。
【図３】本発明の一実施の形態である弁体と連接部材とを装着した状態を示した断面図である。
【図４】図３の視図Ｃを示し、弁体と連接部材とを装着した状態を示した平面図である。
【図５】図３の視図Ｃを示し、弁体と連接部材とを装着した状態を示した平面図である。
【図６】従来の吊りこま式水栓の断面図である。
【符号の説明】
Ａ・・水栓
Ｂ・・開閉弁
１・・本体
２・・流路
３・・弁座
４・・螺子
５・・スピンドル
６・・ハンドル
７・・スピンドル凸部
８・・弁軸挿入孔
９・・弁体
１０・・弁軸
１１・・連接部材
１２・・シートパッキン
１３・・凹溝部
１４・・突起
１５・・入口
１６・・摺り割り溝
【図１】
2004251349.tif 000003
【図２】
2004251349.tif 000004
【図３】
2004251349.tif 000005
【図４】
2004251349.tif 000006
【図５】
2004251349.tif 000007
【図６】
2004251349.tif 000008